(57)【特許請求の範囲】
【請求項１】
湖沼、ダム湖、河川、もしくは池等の水域の水質を浄化させる水質浄化システムであって、
流木、風倒木、もしくは間伐材を少なくとも断面の最大厚みである最大断面厚を５センチメートル以上の大きさに切断した水中に浸漬した木である沈木を複数本内部に備えた沈木濾過槽と、
しらすと木材チップの混合物からなるしらすチップを内部に備えたしらすチップ濾過槽と、
前記沈木濾過槽から流出した水を貯水する貯水槽と、
前記貯水槽に貯水された水を前記しらすチップ濾過槽に流出させる水量を調整する水量調整バルブと、を有し、
前記水域の水を前記沈木濾過槽に流入させ、前記沈木濾過槽から流出した水を前記しらすチップ濾過槽に流入させて、前記水域に戻される水質浄化システム。
【請求項２】
前記沈木濾過槽は、
前記水域の水が流入する受水ピットと、
該受水ピットと下部で連通し、前記沈木が備えられた沈木槽と、
前記沈木槽と上部で連通し、前記沈木槽の上部から流入した水を外部に流出させる排水ピットと、を有し、
前記沈木は、前記沈木槽の底面との間に空洞を設けて備えられ、
前記受水ピットから前記沈木槽に流入した水は、前記空洞から前記沈木に接しながら上方へ流れ、前記沈木槽の上部から前記排水ピットに流出する請求項１記載の水質浄化システム。
【請求項３】
前記しらすチップ濾過槽は、内部が複数段になっており、貫通口を有する各段上に前記しらすチップが載置されることを特徴とする請求項１記載の水質浄化システム。
【請求項４】
前記沈木は、最大断面厚が５センチメートル〜２４センチメートルであることを特徴とする請求項１記載の水質浄化システム。
【発明の詳細な説明】
【技術分野】
【０００１】
本発明は、湖沼、ダム湖、河川、もしくは池等の水域の水質を浄化させる水質浄化システムおよび水質浄化方法に関する。
【背景技術】
【０００２】
従来から、河川、湖沼等の停滞水域（もしくは閉鎖性水域）では水質の汚濁などの問題が生じていた。特に、富栄養化が進行すると藍藻類が異常繁殖して、いわゆるアオコが発生することになる。その水質の汚濁が発生する問題を解決するために、従来より礫間接触曝気や以下に示す浸透堤など様々な提案がなされている。
【０００３】
上述した浸透堤は、透水性を有する堤体部と、該堤体部内に埋設され、流入側に面して配設された沈木チップのろ過層と、流出側に面して配設されたしらすと沈木チップの混合物のろ過層とを備えるもので、この浸透堤を用いることにより、沈木チップに付着しているバクテリアなど微生物が作用してリンや窒素等の除去が行われ、しらすと沈木チップの混合物のろ過層により珪藻類の吸収しやすいケイ酸が溶出される。この結果、優先植物プランクトン種として珪藻類の繁殖を促進させることができ、珪藻類が生態系上一次生産者となって、動物プランクトン等に補食されることにより、アオコを抑制することができ、池などの透明度を回復させることができるというものであった。
【０００４】
【特許文献１】特開２０００−２６５７８４号公報
【発明の開示】
【発明が解決しようとする課題】
【０００５】
従来の浸透堤では、浸透堤に備えられた沈木チップのろ過層の沈木チップとして、流木や倒木などを２〜４０ｍｍ程度の長さに砕片化した木片を用いていた。このように、２〜４０ｍｍ程度の長さに砕片化した木片からなる沈木チップを用いていたのは、砕片化した木片では水との接触面積が大きく、水に含まれる窒素やリンの除去能力が優れていると考えたからである。しかしながら、この沈木チップのろ過槽を用いると、沈木チップと沈木チップの間の間隔が狭いため、その間に泥や砂や粘土が付着することにより目詰まりが生じてしまうという新たな問題が生じた。このように、目詰まりが生じると窒素やリンの除去能力が低下してしまうこととなる。このように、窒素やリンの除去能力が低下すると、水の中の窒素やリンが豊富となり、しらすと沈木チップの混合物のろ過層を用いても、ケイ酸供給量が相対的に不足し、アオコが異常増殖することになる。また、浸透堤を用いて水質浄化を行うためには、河川、湖沼等の水域に浸透堤を構築しなければならず、地形や水深、もしくは流速によっては設備が増大になるばかりか、設備を構築するためのコストも増大するという問題も生じていた。さらにまた、礫間接触曝気を用いた場合でも、石やプラスチックの表面に付着したバクテリアなど微生物（生態系）が繁殖し、そのバクテリアなど微生物（生態系）の塊であるバイオフィルムが肥大化することにより目詰まりが生じることになる。このように礫間接触曝気を用いた場合でも、従来の浸透堤の場合と同様、目詰まりが生じるにより窒素やリンの除去能力が低下してしまうという問題があった。そして、このような目詰まりを防止するためには、逆の方向に水を流して蓄積した物質を排出するための洗浄（逆洗浄）などの複雑な維持操作をしなければならず、大掛かりな作業が必要となっていた。
【０００６】
本発明は上記問題点に鑑みてなされたもので、リンや窒素等の除去能力を沈木の腐朽が進行するまで維持し、礫間接触曝気の目詰まり防止に必要な逆洗浄などの複雑な維持操作を必要とせず、単純な水抜きや水位低下時にサイフォンを利用した自動散水で維持操作が可能であり、湖沼、ダム湖、河川、もしくは池等の水域の水質の浄化を安価かつ効果的に行うことができる水質浄化システムおよび水質浄化方法を提供することを目的とする。
【課題を解決するための手段】
【０００７】
上記課題を解決し上記目的を達成するために、本発明のうち第１の態様に係るものは、  湖沼、ダム湖、河川、もしくは池等の水域の水質を浄化させる水質浄化システムであって、流木、風倒木、もしくは間伐材を少なくとも断面の最大厚みである最大断面厚を５センチメートル以上の大きさに切断した水中に浸漬した木である沈木を複数本内部に備えた沈木濾過槽と、しらすと木材チップの混合物からなるしらすチップを内部に備えたしらすチップ濾過槽と、沈木濾過槽から流出した水を貯水する貯水槽と、貯水槽に貯水された水をしらすチップ濾過槽に流出させる水量を調整する水量調整バルブと、を有し、前記水域の水を前記沈木濾過槽に流入させ、前記沈木濾過槽から流出した水を前記しらすチップ濾過槽に流入させて、水域に戻されるものである。
【０００８】
本発明によれば、沈木濾過槽において、流木、風倒木、間伐材を少なくとも最大断面厚を５センチメートル以上の大きさに切断した沈木を用いているので、沈木と沈木の間の空隙が広くなり、目詰まりが生じにくくなるとともに、５センチメートル以上の大きさに切断した沈木では、バクテリアなどの生態系も、沈木の表面だけでなく内部でも繁殖するため、沈木表面のバイオフィルムが肥大化せず、沈木と沈木の間の空隙が目詰まりしにくくなり、窒素やリンの除去能力が低下することもなくなる。これにより、しらすと木材チップの混合物からなるしらすチップ濾過槽により、珪藻類の吸収しやすいケイ酸が溶出され、アオコの増殖を抑制することができる。またさらに、沈木に付着したバクテリアのうち脱窒菌の働きにより、硝酸や亜硝酸が窒素ガスにされ、その窒素ガスが最終的に空気中に放出されるため、窒素の除去能力を向上させることができる。これにより、リンや窒素等の除去能力を沈木の腐朽が進行するまで維持することができ、湖沼、ダム湖、河川、もしくは池等の水域の水質の浄化を安価かつ効果的に行うことができる。また、沈木濾過槽から流出した微粒子などが除去された水をしらすチップ濾過槽に流入させているので、しらすチップ濾過槽が目詰まりすることを防止することができる。さらに、沈木濾過槽から流出した水を貯水する貯水槽と、貯水槽に貯水された水をしらすチップ濾過槽に流出させる水量を調整する水量調整バルブを有するので、しらすチップ濾過槽に流入する水量を調整することができる。これにより、しらすチップ濾過槽内のしらすからケイ酸が溶出されるのに十分な時間（たとえば、１時間）、しらすチップ濾過槽内に水を貯水することができる。  
【００１３】
本発明のうち第２の態様に係るものは、第１の態様に係る水質浄化システムであって、沈木濾過槽は、水域の水が流入する受水ピットと、該受水ピットと下部で連通し、沈木が備えられた沈木槽と、沈木槽と上部で連通し、沈木槽の上部から流入した水を外部に流出させる排水ピットと、を有し、沈木は、沈木槽の底面との間に空洞を設けて備えられ、受水ピットから沈木槽に流入した水は、空洞から沈木に接しながら上方へ流れ、沈木槽の上部から排水ピットに流出するものである。
【００１４】
沈木槽の上部から下部に水を流入させると、沈木に付着した微粒子などが沈木槽の底面に溜まり、沈木槽の下部で目詰まりが生じるおそれがあるが、本発明によれば、受水ピットから沈木槽に流入した水が、沈木槽下部の空洞から沈木に接しながら上方を流れ、沈木槽の上部から排水ピットに流出されるので、沈木に付着している微生物などが沈木槽の下方にある空洞部の底に落ちて、沈木槽の下部で目詰まりが生じることがない。このように、沈木槽の下部で目詰まりが生じることがなくなるので、リンや窒素の除去能力を低下することなく、水に含まれているリンや窒素を除去することができる。また、沈木槽の下部に微粒子などが溜まった場合でも、その溜まった微粒子などの沈殿物は窒素やリンに富み、空洞部の底付近から引き抜けば、肥料として加工することもできる。
【００１５】
本発明のうち第３の態様に係るものは、第１の態様に係る水質浄化システムであって、しらすチップ濾過槽は、内部が複数段になっており、貫通口を有する各段上にしらすチップが載置されるものである。
【００１６】
本発明によれば、しらすチップ濾過槽の内部が複数段になっており、貫通口を有する各段上にしらすチップが載置されるので、しらすチップが載置されているそれぞれの段と段の間に空間がしらすチップ間の空隙となり、しらすチップ濾過槽の目詰まりを防止することができる。これにより、しらすチップ濾過槽内のしらすからのケイ酸の溶出量を低下させることなく、しらすからケイ酸を溶出させることができる。
【００１７】
本発明のうち第４の態様に係るものは、第１の態様に係る水質浄化システムであって、沈木は、最大断面厚が５センチメートル〜２４センチメートルであることを特徴とするものである。
【発明の効果】
【００２１】
本発明によれば、リンや窒素等の除去能力を沈木の腐朽が進行するまで維持し、湖沼、ダム湖、河川、もしくは池等の水域の水質の浄化を安価かつ効果的に行うことができる。
【図面の簡単な説明】
【００２２】
【図１】本発明の一実施形態における水質浄化システムを示す斜視図である。
【図２】（ａ）  同水質浄化システムに用いられる沈木濾過槽の斜視図である。            （ｂ）  本発明の一実施形態における沈木濾過槽の内部に設置されている沈木を示す図である。            （ｃ）  図２（ａ）のＡ−Ａ断面を示す図である。
【図３】（ａ）  図２（ｃ）のＢ−Ｂ断面を示す図である。            （ｂ）  図３（ａ）のＸ−Ｘ断面図を示す図である。
【図４】（ａ）  同水質浄化システムに用いられるチップ濾過槽の斜視図である。            （ｂ）  本発明の一実施形態におけるチップ濾過槽の内部に備えられているしらすチップを充填した網体を示す図である。            （ｃ）  図４（ａ）のＣ−Ｃ断面を示す図である。            （ｄ）  図４（ｃ）のＤ−Ｄ断面を示す図である。
【図５】本発明の一実施形態における水質浄化方法のフローチャートを示す図である。
【図６】（ａ）  本発明の変形例における沈木槽の中の沈木の載置形態を示す図である。          （ｂ）  図６（ａ）のＹ−Ｙ断面を示す図である。
【図７】本発明の変形例におけるしらすチップ濾過槽の載置形態を示す図である。
【発明を実施するための最良の形態】
【００２３】
以下、本発明の水質浄化システムの一実施形態について図面を参照しながら説明する。図１は、本発明の一実施形態における水質浄化システムを示す斜視図である。
【００２４】
図１に示すように、水質浄化システム１は、沈木濾過槽２と貯水槽３としらすチップ濾過槽４を有している。なお、本実施形態では、貯水槽３を設けて水質浄化システム１を構成したが、これに限らず、貯水槽３を設けないで水質浄化システム１を構成してもよい。
【００２５】
沈木濾過槽２の内部には沈木５（図２（ｂ）参照）が複数本設置されており、しらすチップ濾過槽４の内部にはしらすと木材チップ（沈木チップなど）の混合物からなるしらすチップ６（図４（ｃ）参照）が備えられている。沈木濾過槽２としらすチップ濾過槽４の詳細は、図２〜図４を用いて後述する。ここで、沈木５は水中に浸漬された木のことである。
【００２６】
次に、沈木濾過槽２について、図２を用いて詳述する。ここで、図２（ａ）は、水質浄化システムに用いられる沈木濾過槽の斜視図であり、図２（ｂ）は、本発明の一実施形態における沈木濾過槽の内部に設置されている沈木を示す図であり、図２（ｃ）は、図２（ａ）のＡ−Ａ断面を示す図であり、図３（ａ）は、図２（Ｃ）のＢ−Ｂ断面を示す図であり、図３（ｂ）は、図３（ａ）のＸ−Ｘ断面図を示す図である。なお、図２（ｃ）では、沈木の図示を省略しているが、沈木の載置形態は、図３に具体的に示している。
【００２７】
図２（ａ）に示すように、沈木濾過槽２は、上部が開口した四角柱形状をしており、横断面の長さが縦１．８ｍ×横１．０ｍで、高さが１．０ｍの大きさで構成されている。沈木濾過槽２には、ダム湖に流入した流木、風倒木、もしくは間伐材を少なくとも断面の最大厚みである最大断面厚を２０ｃｍ、切断長の長さが５０ｃｍの大きさに切断し、水に浮かばないようあらかじめ水浸させた沈木５が複数本設置されている。なお、本実施形態では、最大断面厚を２０ｃｍの大きさに切断した沈木５を用いたが、これに限らず、最大断面厚５ｃｍ以上（好ましくは、５ｃｍ〜２４ｃｍ（若しくは、１２ｃｍ〜２４ｃｍ））の大きさに切断した沈木５であれば、大きさは問わない。特に、５ｃｍでは、沈木と水との接触面積が増大し、沈木が腐朽しやすくなるので、最大断面厚を１２ｃｍ以上（特に、２０ｃｍ以上）の大きさに切断した沈木５を用いれば、特に有効である。ここで、最大断面厚が５ｃｍ以上の沈木５であれば、後述する効果を奏するものであるが、間伐材や流木でも最大断面厚２４ｃｍ程度のものがあり、最大断面厚が２０ｃｍ程度のものから間隙率（（全体容積-全沈木の体積）／全体容積）が大きくなるとともに沈木５と水との接触面積も小さくなることから、後述するリンや窒素の除去能力が小さくなる。このことから、沈木５の最大断面厚は２４ｃｍ程度以下のものが有効である。
【００２８】
沈木濾過槽２は、受水ピット７、沈木槽８、および排水ピット９を内部に有している（図２（ｃ）参照）。受水ピット７は、上部が開口し、下部に沈木槽８と連通する沈木連通口１０が設けられており、沈木槽８は、内部に沈木５が備えられ、沈木５は動かないように上部金網１１と下部金網１２により支持されている。この下部金網１２は、沈木槽８の底面から２０ｃｍ高い位置に設けられ、下部金網１２と沈木槽８の底面との間に沈木空洞（空洞）１３が形成されている。また、排水ピット９は、沈木槽８内の水を沈木槽８の上部から流入し、沈木濾過槽２外に排出するものである。このように、沈木槽８の上部からオーバーフローした水は、沈木槽８と上部で連通している排水ピット９に流出する。また、受水ピット７の下部には、受水ピット７内の水を沈木濾過槽２外に排水させるための受水ピットドレイン３２（排水管）が設けられ、排水ピット９の下部には、排水ピット９内の水を貯水槽３に流出させる貯水槽入水ドレン１４が設けられている。この受水ピットドレイン３２および貯水槽入水ドレン１４を設けることにより、沈木濾過槽２内の懸濁物を除去することができる。この受水ピットドレイン３２には、受水ピットドレンバルブ１８が設けられている。また、排水ピット９の上部には、沈木槽８と排水ピット９の敷居壁１５より上部にあるオーバーフロー孔１６が設けられ、オーバーフロー孔１６を介し、排水ピット９内の水が沈木濾過槽２外に排水される。
【００２９】
沈木槽８の内部には、沈木５が横積み充填されている（図３（ａ）および図３（ｂ）参照）。すなわち、沈木５を横方向に並べて沈木濾過槽２内に設置されている。図３（ａ）および図３（ｂ）は、図２（ｃ）で省略している沈木５を具体的に示したものである。ここで、沈木５の表面の凸部１７は枝払い跡であり、図３（ａ）の太線部分は他の沈木５と線接触している箇所であり、点部分は他の沈木５と点接触している箇所を示している。本実施形態における沈木濾過槽２では、沈木５と水との接触面積は約１１．３ｍ２であり、沈木濾過槽２内の沈木５と他の沈木５とが接している部分の長さは１２ｍである。沈僕槽８は、縦と横と高さの長さが１ｍであるので、上述した沈木５と水との接触面積および沈木５と他の沈木５とが接触している部分の長さは、１ｍ３の沈木槽８内の沈木５に対してのものである。この場合の間隙率は５２．９％となる。なお、本実施形態では、断面が円形形状の沈木５を用いたが、これに限らず、円形形状以外の断面形状であってもよく、最大断面厚が５ｃｍ以上（好ましくは、５ｃｍ〜２４ｃｍ）の大きさのものであれば形状は問わない。
【００３０】
次に、しらすチップ濾過槽４について、図４を用いて詳述する。ここで、図４（ａ）は、水質浄化システムに用いられるしらすチップ濾過槽の斜視図であり、図４（ｂ）は、本発明の一実施形態におけるしらすチップ濾過槽の内部に備えられているしらすチップを示す図であり、図４（ｃ）は、図４（ａ）のＣ−Ｃ断面を示す図であり、図４（ｄ）は、図４（ｃ）のＤ−Ｄ断面を示す図である。
【００３１】
図４（ａ）に示すように、しらすチップ濾過槽４は、上部が開口した四角柱形状をしており、横断面の長さが縦１．０ｍ×横１．０ｍで、高さが１．０ｍの大きさで構成されている、
【００３２】
しらすチップ濾過槽４には、ネットなどの網体１９（袋ともいう）に充填されたしらすチップ６が備えられている（図４（ｂ）参照）。メッシュの小さい網体１９に充填されたしらすチップ６は、上述したように、しらすと木材チップ（沈木チップなど）の混合物から構成されている。ここで、しらすは、南九州（鹿児島県）等で産出したもので、天然の非晶質シリカを多く含有している。このしらすは、水に触れると固まりやすいので、しらすの固化を防止するために木材チップ（沈木チップなど）を混合している。本実施形態では、しらすと木材チップとの混合割合は、重量比で５：１程度、体積比で１：１程度としている。また、しらすチップ濾過槽４は、内部が複数段になっており、格子状で貫通口を有する各床３１上（各段上）に網体１９に入ったしらすチップ６が載置されている。なお、図４（ａ）では、最上部の床３１についてのみ格子状の貫通口を記載し、その他の２段目と３段目の床３１についての格子状の貫通口の記載は省略している。
【００３３】
しらすチップ濾過槽４は、下部からしらすチップ下部金網２０、下部砕石２１、下部フィルター２２、しらすチップ６、上部フィルター２３、上部砕石２４の順で配置されている。最上部のしらすチップ６は、動かないように、上部フィルター２３、および上部砕石２４により支持されている。また、しらすチップ下部金網２０は、しらすチップ濾過槽４の底面から１０ｃｍ高い位置に設けられ、しらすチップ下部金網２０としらすチップ濾過槽４の底面との間にしらすチップ空洞（空洞）２５が形成されている。また、しらすチップ濾過槽４の下部には、しらすチップ濾過槽４内の水をしらすチップ濾過槽４外に排水させるためのしらすチップ槽排出ドレン２６（排水管）、および貯水槽３内の水をしらすチップ濾過槽４に送水する貯水槽出水ドレン２７が設けられている。このしらすチップ槽ドレン２６にはしらすチップ槽排水調整バルブ２８が設けられ、また、貯水槽出水ドレン２７には貯水槽出水調整バルブ２９が設けられている。また、しらすチップ濾過槽４の上部には、オーバーフロー孔３０が設けられ、オーバーフロー孔３０を介し、しらすチップ濾過槽４内の水がしらすチップ濾過槽４外に排水される。
【００３４】
次に、貯水槽３について説明する。貯水槽３は、上述したように、沈木濾過槽２と貯水槽入水ドレン１４、またしらすチップ濾過槽４と貯水槽出水ドレン２７とそれぞれ接続されている（図１参照）。このように、沈木濾過槽２内の水を貯水槽入水ドレン１４を介し貯水槽３に流入させ、貯水槽２内の水を貯水槽出水ドレン２７を介ししらすチップ濾過槽４に流出させることができる。また、貯水槽３としらすチップ濾過槽４を接続させる貯水槽出水ドレン２７には、上述したように、貯水槽３に貯水された水をしらすチップ濾過槽４に流出させる水量を調整する貯水槽出水調整バルブ（水量調整バルブ）２９が備えられている。
【００３５】
このように、沈木濾過槽２としらすチップ濾過槽４を設けることにより、沈木濾過槽２により、沈木５に付着している微生物によりリンや窒素の除去が行われ、また、しらすチップ濾過槽４の内部のしらすからケイ酸が溶出される。なお、詳細は後述する。
【００３６】
次に、本実施形態における水質浄化方法について図５を参照にして説明する。ここで、図５は、本発明の一実施形態における水質浄化方法のフローチャートを示す図である。        
【００３７】
図５に示すように、水質浄化方法は、まずＳ１により、沈木濾過槽受水工程が行われる。この沈木濾過槽受水工程は、湖沼、ダム湖、河川、もしくは池等の水域内の水を沈木濾過槽に流入させる工程である。具体的には、ポンプ（図示略）を駆動させて、ポンプ（図示略）に接続させたホースにより、湖沼、ダム湖、河川、もしくは池等の水域内の水が沈木濾過槽２の受水ピット７に流入される。この沈木濾過槽２の受水ピット７に流入した水は、受水ピット７の下部に設けられた沈木連通口１０から沈木濾過槽２の沈木槽８に送水され、沈木槽８の下部に設けられた沈木空洞１３から沈木５に接しながら上方を流れ、沈木槽８の上部から排水ピット９に流出する。このように、受水ピット７から沈木槽８に流入した水が、沈木槽８下部の沈木空洞１３から沈木５に接しながら上方を流れ、沈木槽８の上部から排水ピット９に流出されるので、沈木５に付着している微生物などが沈木槽８の下方にある沈木空洞１３部の底に落ちて、沈木槽８の下部で目詰まりが生じることがない。このように、沈木槽８の下部で目詰まりが生じることがなくなるので、リンや窒素の除去能力を低下することなく、水に含まれているリンや窒素を除去することができる。また、溜まった微粒子などの沈殿物は窒素やリンに富み、沈木空洞１３部の底付近から引き抜けば、肥料として加工することもできる。
【００３８】
次に、Ｓ２により、窒素リン除去工程が行われる。この窒素リン除去工程は、沈木濾過槽２に流入した水を、ダム湖に流入した流木、風倒木、もしくは間伐材を最大断面厚を５センチメートルの大きさに切断した水中に浸漬した木である沈木５を複数本内部に備えた沈木濾過槽２の沈木槽８に流すことにより、該水に含まれている窒素やリンを除去する工程である。具体的には、沈木槽８の下部に設けられた沈木空洞１３から沈木５に接しながら上方を流れることにより、沈木５に付着した微生物によりリンや窒素を除去することができる。さらに、沈木５は水中にフミン物質をも供給する。このフミン物質は、海への鉄分の供給を支えるため、海を豊かにするための重要な物質の一つである。その成分はフミン酸、フルボ酸およびヒマトメラニン酸に分類される。この中でも、フミン酸、フルボ酸は特に有効である。また、本実施形態では、沈木濾過槽２において、ダム湖に流入した流木、風倒木、間伐材を最大断面厚を５センチメートルの大きさに切断した沈木５を用いているので、沈木５と沈木５の間の空隙が広くなり、目詰まりが生じにくくなる。さらに、５センチメートルの大きさに切断した沈木５では、バクテリアなどの生態系も、沈木５の表面だけでなく内部でも繁殖するため、沈木５表面のバイオフィルムが肥大化せず、沈木５と沈木５の間の空隙が目詰まりしにくくなり、窒素やリンの除去能力が低下することもない。またさらに、沈木５に付着したバクテリアのうち脱窒菌の働きにより、硝酸や亜硝酸が窒素ガスにされ、その窒素ガスが最終的に空気中に放出されるため、窒素の除去能力を向上させることができる。これにより、リンや窒素等の除去能力を沈木５の腐朽が進行するまで維持することができ、湖沼、ダム湖、河川、もしくは池等の水域の水質の浄化を安価かつ効果的に行うことができる。なお、上述したが、本実施形態では、最大断面厚を５ｃｍの大きさに切断した沈木５を用いたが、これに限らず、最大断面厚５ｃｍ以上（好ましくは、５ｃｍ〜２４ｃｍ）の大きさに切断した沈木５であれば、大きさは問わない。
【００３９】
次に、Ｓ３により、しらすチップ濾過槽受水工程が行われる。このしらすチップ濾過槽受水工程は、貯水槽３に貯水された水をしらすチップ濾過槽４に流入させる工程である。具体的に、貯水槽３としらすチップ濾過槽４の間に設けられた貯水槽出水調整バルブ２９を「開」にすることにより、貯水槽３に貯水された水がしらすチップ濾過槽４の下部のしらすチップ空洞２５から流入する。ここで、本実施形態では、貯水槽３の容量および沈木濾過槽２の容量を所定の容量に設定することにより、しらすチップ濾過槽４３内の水位が所定の水位になるようにしている。このようにすることにより、貯水槽出水調整バルブ２９を「開」にして、貯水槽３内の水をしらすチップ濾過槽４に流入させた後、しらすチップ濾過槽４と貯水槽３と沈木濾過槽２の水位が同レベルになれば、貯水槽３からしらすチップ濾過槽４への流入がなくなり、貯水槽出水調整バルブ２９の厳密な制御が必要でなくなる。そして、しらすチップ濾過槽４の水位が上部砕石２４より高くなったところで水位調整バルブ２１を「閉」にする。なお、貯水槽出水調整バルブ２９の開閉タイミングにより、しらすチップ濾過槽４に流入する水量を自由に調整することもできる。
【００４０】
次に、Ｓ４により、ケイ酸供給工程が行われる。このケイ酸供給工程は、窒素リン除去工程Ｓ１により窒素やリンが除去された水を、しらすと木材チップ（沈木チップなど）の混合物からなるしらすチップ６を内部に備えたしらすチップ濾過槽４に流すことにより、該水にケイ酸が供給される工程である。具体的には、しらすチップ濾過槽受水工程Ｓ３により、しらすチップ濾過槽４に水が留まった状態を１時間維持することにより、しらすチップ濾過槽４内のしらすからケイ酸が供給される。すなわち、しらすチップ濾過槽４内のしらすは、一般的な板ガラスなどの人造ガラスに比べ、ナトリウム（Ｎａ）やカルシウム（Ｃａ）の含有量の少ない火山ガラスを多量に含むので、珪藻類の吸収しやすいケイ酸を供給することができる。また、しらすチップ濾過槽４の内部が複数段になって、それぞれの貫通口を有する各段上に網体に入ったしらすチップ６が載置されているので、網体に入ったしらすチップ６が載置されているそれぞれの段と段の間に空間がしらすチップ６間の空隙となり、しらすチップ濾過槽４の目詰まりを防止することができる。これにより、しらすチップ濾過槽４内のしらすからのケイ酸の溶出量を低下させることなく、しらすからケイ酸を溶出させることができる。なお、本実施形態では、しらすチップ濾過槽４に水が溜まった状態を１時間維持するとしたが、これに限らず、しらすチップ濾過槽４に水が溜まった状態を１時間以上（好ましくは、１時間〜２時間）維持するものであれば、時間は問わない。
【００４１】
次に、Ｓ５により、排水工程が行われる。この排水工程は、しらすチップ濾過槽４内の水を排水して、湖沼、ダム湖、河川、もしくは池等の水域に戻す工程である。具体的には、しらすチップ槽排水調整バルブ２８が「開」にされ、しらすチップ槽排水調整バルブ２８と接続されているしらすチップ槽排出ドレン２６（排水管）を介し、しらすチップ濾過槽内の水が湖沼、ダム湖、河川、もしくは池等の水域に排水される。
【００４２】
以上説明したように、本実施形態における水質保存方法を用いれば、沈木濾過槽２によりリン、窒素が除去され、しらすチップ濾過槽４によりケイ酸が補給された結果、優先植物プランクトン種として珪藻類の繁殖を促進させることができる。珪藻類は、生態系上一次生産者となり、動物プランクトン等に捕食され、珪藻類が上位の生態系を支えることにより、藍藻の大増殖を抑制し、結果的に水質改善につなげることができる。さらに、沈木濾過槽２において、ダム湖に流入した流木、風倒木、間伐材を少なくとも最大断面厚を５センチメートル以上の大きさに切断した沈木５を用いているので、沈木５と沈木５の間の空隙が広くなり、目詰まりが生じにくくなるとともに、５センチメートル以上の大きさに切断した沈木５では、バクテリアなどの生態系も、沈木の表面だけでなく内部でも繁殖するため、沈木５表面のバイオフィルムが肥大化せず、沈木５と沈木５の間の空隙が目詰まりしにくくなり、窒素やリンの除去能力が低下することもなくなる。またさらに、沈木５に付着したバクテリアのうち脱窒菌の働きにより、硝酸や亜硝酸が窒素ガスにされ、その窒素ガスが最終的に空気中に放出されるため、窒素の除去能力を向上させることができる。これにより、リンや窒素等の除去能力を沈木の腐朽が進行するまで維持することができ、湖沼、ダム湖、河川、もしくは池等の水域の水質の浄化を安価かつ効果的に行うことができる。
【００４３】
このように、湖沼、ダム湖、河川、もしくは池等の水域の水が沈木濾過槽２およびしらすチップ濾過槽４に流入することにより、窒素およびリンを低減させ、糸状藻類や藍藻類の増殖を抑制させることができ、多くの動物プランクトンを増殖させることができ、水質浄化に加え、より豊かな水環境を創出させることができる。
【００４４】
今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【００４５】
次に、本発明の水質浄化システムおよび水質浄化方法の変形例について説明する。
（１）  本実施形態では、沈木濾過槽受水工程において、ポンプ（図示略）を駆動させて、ポンプ（図示略）に接続させたホースにより、湖沼、ダム湖、河川、もしくは池等の水域内の水が沈木濾過槽２の受水ピット７に流入させたが、これに限らず、たとえば、土地の勾配を利用して、ポンプを用いずに湖沼、ダム湖、河川、もしくは池等の水域内の水が沈木濾過槽２の受水ピット７に流入させてもよい。
【００４６】
（２）  本実施形態では、沈木槽８の中に載置されている沈木を図３を用いて説明したが、これに限らず、図６に示すような、沈木の載置形態でもよい。ここで、図６（ａ）は、  本発明の変形例における沈木槽の中の沈木の載置形態を示す図であり、図６（ｂ）は、図６（ａ）のＹ−Ｙ断面を示す図である。なお、図６では、最大断面厚は２０ｃｍ、切断長の長さは２５ｃｍの沈木を用い、沈木５と水との接触面積は約１４．３ｍ２であり、沈木濾過槽２内の沈木５と他の沈木５とが接している部分の長さは７．２ｍとなる。この場合の間隙率は４９％となる。このように、図６に示す沈木５の載置形態のように沈木５の切断長の長さを短くすることにより、沈木５と水との接触面積が大きくなる。一方間隙率は約５０％が保たれるので、リンや窒素の除去能力を向上させることができる。
【００４７】
（３）  本実施形態では、しらすチップ濾過槽４に、格子状で貫通口を有する床３１を設け、その上に網体１９に入ったしらすチップ６を載置したが、これに限らず、格子状で貫通口を有する床３１を設けずに、図７に示すように、下部からしらすチップ下部金網２０、下部砕石２１、下部フィルター２２、しらすチップ６、上部フィルター２３、上部砕石２４の順で直接配置されてもよい。
【符号の説明】
【００４８】
１  水質浄化システム
２  沈木濾過槽
３  貯水槽
４  しらすチップ濾過槽
５  沈木
６  しらすチップ
７  受水ピット
８  沈木槽
９  排水ピット
１０  沈木連通口
１１  上部金網
１２  下部金網
１３  沈木空洞
１４  貯水槽入水ドレン
１５  敷居壁
１６  オーバーフロー孔
１７  凸部
１８  受水ピットドレンバルブ
１９  網体
２０  しらすチップ下部金網
２１  下部砕石
２２  下部フィルター
２３  上部フィルター
２４  上部砕石
２５  しらすチップ空洞
２６  しらすチップ槽排出ドレン
２７  貯水槽出水ドレン
２８  しらすチップ槽排水調整バルブ
２９  貯水槽出水調整バルブ
３０  オーバーフロー孔
３１  床
３２  受水ピットドレン
【図１】
0005748206.tif 000002
【図２】
0005748206.tif 000003
【図３】
0005748206.tif 000004
【図４】
0005748206.tif 000005
【図５】
0005748206.tif 000006
【図７】
0005748206.tif 000007
【図６】
0005748206.tif 000008